(57)【要約】【課題】本発明は、ノック部材の筆記状態を安定的に且つ確実に解除できるようにした多芯筆記具を提供する。【解決手段】多芯筆記具１において、軸筒４の仕切壁１０に形成されたガイドレール２２に沿ってノック部材６のスライド凸部２０が摺動し、スライド凸部２０は、ノック部材６の長手方向において、前端側に配置される前端部２０ａと、後端側に配置される後端部２０ｂと、からなっている。このように、ノック部材６のスライド凸部２０は、前端部２０ａを有しているので、ノック部材６の前端側において、ガイドレール２２のガイド面２４とノック部材６との間のクリアランスを、スライド凸部２０の前端部２０ａによって小さくすることができる。【選択図】図５
2015058689.tif 000002
【特許請求の範囲】
【請求項１】
軸筒の先端から出没するリフィールと、
前記リフィールの後端に前端が連結されると共に、前記軸筒に設けられたガイドレールに沿って、前記軸筒の中心軸線方向にスライド自在な複数のノック部材と、
前記軸筒において前記ノック部材間に設けられると共に、中心軸線方向に延在する前記ガイドレールが形成された仕切壁と、
前記リフィールの周囲に巻回されるように配置され、一端が前記軸筒に係止されると共に、他端が前記ノック部材に係止されて、前記ノック部材を復帰させる螺旋バネと、を備え、
筆記状態の一方の前記ノック部材を、リフィール格納状態の他方の前記ノック部材の押し下げによって、他方の前記ノック部材の解除突起の前端が一方の前記ノック部材の解除突起の後端を押しながら、一方の前記ノック部材の前記筆記状態を解除させるようにした筆記具において、
前記ノック部材には、溝状の前記ガイドレールに沿って摺動するスライド凸部が形成され、
前記スライド凸部は、前記ノック部材の長手方向において、前端側に配置される前端部と、後端側に配置される後端部と、からなることを特徴とする多芯筆記具。
【請求項２】
前記スライド凸部の前記前端部は、所定量前進後に前記ガイドレールの前端から外れることを特徴とする請求項１記載の多芯筆記具。
【発明の詳細な説明】
【技術分野】
【０００１】
本発明は、軸筒の中心軸線方向にスライド自在なノック部材を備えた筆記具に関するものである。
【背景技術】
【０００２】
従来、このような分野の技術として、特開２００５−１１１８７６号公報がある。この公報に記載された多芯筆記具は、任意のノック部材(押子)を押し下げることによって、所望のリフィールの先端を軸筒の先端から突出させることができ、他のノック部材を軽く押し下げることによって、軸筒内にリフィールの先端をバネ力により素早く格納することができる。ノック部材の両側面には、長手方向に延在する左右一対のスライド凸部（鍔部）が設けられ、各スライド凸部は、軸筒の内部に設けられた凹状のガイドレール内を摺動する。このスライド凸部とガイドレールとの協働によって、ノック部材を前後方向に確実にスライドさせることができる。また、軸筒には、ノック部材間に仕切壁が設けられ、この仕切壁にガイドレールが形成されている。そして、一方のノック部材の解除突起が他方のノック部材の解除突起を押しながら、他方のノック部材の筆記状態を解除させる。
【０００３】
【特許文献１】特開２００５−１１１８７６号公報
【発明の開示】
【発明が解決しようとする課題】
【０００４】
軸筒の径を大きくすることなく、多芯筆記具の本数を多くすればするほど、軸筒の周方向においてノック部材が密に配置されることになり、その結果として、ガイドレールを設けるための仕切壁の肉厚が薄くなる。仕切壁の肉厚が薄くなると、仕切壁自体が厚み方向に変形し易くなる。このような仕切壁の変形は、筆記状態の一方のノック部材を、リフィール格納状態の他方のノック部材の押し下げによって、一方のノック部材の前記筆記状態を解除させる際に起こり易い。すなわち、他方のノック部材を押し下げる際、このノック部材は、筆記状態のノック部材を押圧させながら筆記状態を解除させるが、このとき、押し下げ途中におけるノック部材がリフィール格納状態のノック部材から押し返される力によって仕切壁が厚み方向に変形し、これによって仕切壁間が広がる。それと同時に、押し下げ途中におけるノック部材の前端側が仕切壁の厚み方向に大きく傾いてしまう。その結果、ノック部材の筆記状態の解除時において、押し下げ途中におけるノック部材の解除突起が、筆記状態のノック部材の解除突起に適切に押圧できずに、押し下げ途中においてノック部材の解除突起の逃げが起こる。これによって、ノック部材の筆記状態を安定して解除できない場合が起こる。
【０００５】
本発明は、ノック部材の筆記状態を安定的に且つ確実に解除できるようにした多芯筆記具を提供することを目的とする。
【課題を解決するための手段】
【０００６】
本発明は、軸筒の先端から出没するリフィールと、
リフィールの後端に前端が連結されると共に、軸筒に設けられたガイドレールに沿って、軸筒の中心軸線方向にスライド自在な複数のノック部材と、
軸筒においてノック部材間に設けられると共に、中心軸線方向に延在するガイドレールが形成された仕切壁と、
リフィールの周囲に巻回されるように配置され、一端が軸筒に係止されると共に、他端がノック部材に係止されて、ノック部材を復帰させる螺旋バネと、を備え、
筆記状態の一方のノック部材を、リフィール格納状態の他方のノック部材の押し下げによって、他方のノック部材の解除突起の前端が一方のノック部材の解除突起の後端を押しながら、一方のノック部材の筆記状態を解除させるようにした筆記具において、
ノック部材には、溝状のガイドレールに沿って摺動するスライド凸部が形成され、
スライド凸部は、ノック部材の長手方向において、前端側に配置される前端部と、後端側に配置される後端部と、からなることを特徴とする。
【０００７】
この多芯筆記具において、軸筒の仕切壁に形成されたガイドレールに沿ってノック部材のスライド凸部が摺動し、スライド凸部は、ノック部材の長手方向において、前端側に配置される前端部と、後端側に配置される後端部と、からなっている。このように、本発明に利用されるノック部材のスライド凸部は、前端部を有しているので、ノック部材の前端側において、ガイドレールのガイド面とノック部材との間のクリアランスを、スライド凸部の前端部によって小さくすることができる。これによって、筆記状態解除時にノックされるノック部材の前端側が仕切壁の厚み方向に大きく傾いてしまうことがなく、その結果、ノック途中におけるノック部材の解除突起の逃げが起こり難く、筆記状態を解除する際にノックしている一方のノック部材の解除突起の前端が、筆記状態の他方のノック部材の解除突起の後端を適切且つ確実に押圧することができる。従って、ノック部材の筆記状態を安定的に且つ確実に解除することができる。さらに、スライド凸部は、前端部と後端部とに分かれているので、スライド凸部の前端部と後端部とが一直線につながっている場合に比べて、スライド凸部の摺動時の接触面積を減らすことができ、仕切壁やノック部材の多少の変形に対してもスライド凸部の摺動に影響を与え難いといった効果をも奏する。
【０００８】
また、スライド凸部の前端部は、所定量前進後にガイドレールの前端から外れる。
このように、筆記状態を解除した後の前進時において、スライド凸部の前端部がガイドレールから外れることで、スライド凸部の摺動抵抗を減らすことができ、ノック部材をスピーディーに移動させることができる。さらに、たとえ前端部が多少変形したとしても、その影響を少なくすることができる。
【発明の効果】
【０００９】
本発明によれば、ノック部材の筆記状態を安定的に且つ確実に解除できる。
【図面の簡単な説明】
【００１０】
【図１】本発明に係る多芯筆記具の一実施形態を示す断面図である。
【図２】筆記状態の多芯筆記具を示す断面図である。
【図３】図１のIII−III線に沿う断面図である。
【図４】図１のＩＶ−ＩＶ線に沿う断面図である。
【図５】筆記状態のノック部材を示す側面図である。
【図６】定常状態のノック部材を示す平面図である。
【図７】比較例のノック部材の反り状態を示す側面図である。
【図８】本願発明に適用するノック部材の反り状態を示す側面図である。
【発明を実施するための形態】
【００１１】
以下、図面を参照しつつ本発明に係る筆記具の好適な実施形態について詳細に説明する。なお、ペン先側を「前方側」として以下説明する。
【００１２】
図１〜図３に示されるように、多芯筆記具１は、４色のボールペンとシャープペンシルとを備えたノック式筆記具である。このノック式多芯筆記具１は、４本のボールペン型のリフィール２と、１本のシャープペンシル型リフィール３と、各リフィール２，３を収容する樹脂製の軸筒４と、ボールペン型のリフィール２の後端に連結されると共に、軸筒４の中心軸線Ｌの延在方向に沿ってスライド自在な４本の第１のノック部材６と、シャープペンシル型リフィール３の後端に連結されると共に、軸筒４の中心軸線Ｌの延在方向に沿ってスライド自在な第２のノック部材７と、第２のノック部材７に対してコイルバネ９を介して連結された開閉式クリップ８と、を備えている。
【００１３】
軸筒４は、前軸４ａと、後軸４ｂと、後軸４ｂ内で中心軸線Ｌの延在方向に沿って移動自在な中軸４ｃと、からなる。そして、前軸４ａの後側に設けられた雄ネジ部４ｆと後軸４ｂの前側に設けられた雌ネジ部４ｅとの螺合によって、前軸４ａと後軸４ｂは着脱自在に連結されている。このように、軸筒４を前軸４ａと後軸４ｂとに二分割することで、前軸４ａを外してリフィール２，３の交換を容易にすることができ、しかも、前軸４ａと後軸４ｂの材質を異ならせることもできる。
【００１４】
また、中軸４ｃには、各ノック部材６，７が装着され、尾栓Ｃを押すことで、中心軸線Ｌの延在方向に沿って中軸４ｃと一緒にノック部材６，７を前進させることができる。リフィール２の周囲には螺旋バネ１５ａが巻回され、この螺旋バネ１５ａは、ノック部材６の前端のヘッド部６Ｈと、後軸４ｂ内で固定されたデバイダ１３の段部との間に配置されている。同様に、リフィール３の周囲には螺旋バネ１５ｂが巻回され、この螺旋バネ１５ｂは、ノック部材７の前端のヘッド部７Ｈとデバイダ１３の段部との間に配置されている。従って、各螺旋バネ１５ａ，１５ｂにより、ノック部材６，７の復帰を可能にしている。
【００１５】
このような構成の多芯筆記具１では、いずれかのノック部材６を指で押し下げることによって、軸筒４の先端開口４ｄから任意のリフィール２の先端を突出させることができ、リフィール２の何れかを筆記状態にする。そして、筆記状態のリフィール２の先端は、筆記状態になっていない何れかのノック部材６を指で軽く押し下げることにより、螺旋バネ１５ａの付勢力によって軸筒４内に格納することができる。なお、ノック部材７についても同様に、クリップ８のノックによりリフィール３の先端を先端開口４ｄから突出させることができる。
【００１６】
扁平で細長い形状を有するノック部材６の後端には、後軸４ｂから露出する指掛け部６ａが設けられ、ノック部材６の内側（中心軸線Ｌ側）には、略中央から後端に向かって直線的に延在するガイド片６ｂが形成されている。そして、このガイド片６ｂには、中心軸線Ｌ側に向かって突出する断面三角形状の解除突起６Ａが設けられている。この解除突起６Ａは、前側解除突起６ｃと後側解除突起６ｄとに分割されて前後方向に並設されている。同様に、ノック部材７にも、ガイド片７ｂ、解除突起７Ａ、前側解除突起７ｃ及び後側解除突起７ｄが設けられている。
【００１７】
さらに、図３〜図５に示されるように、ガイド片６ｂと指掛け部６ａとの間において、ノック部材６の両側面６ｆにはスライド凸部２０が設けられ、このスライド凸部２０は、ノック部材６の長手方向に延在すると共に、ノック部材６の両側面６ｆからそれぞれ突出する。
【００１８】
また、各スライド凸部２０は、ノック部材６の長手方向において、前端側に配置される前端部２０ａと、後端側に配置される後端部２０ｂと、からなる。また、ノック部材６，７の先端には、リフィール２，３を保持するためのヘッド部６Ｈ，７Ｈが設けられ、前端部２０ａは、ヘッド部６Ｈから後方に向かって延在する。
【００１９】
また、軸筒４の中軸４ｃには、周方向において一方のノック部材６と他方のノック部材６との間、ノック部材６とノック部材７との間に配置されて、周方向でノック部材６，７の均等配置を可能にするための仕切壁１０が形成されている。長手方向に延在する仕切壁１０には、各スライド凸部２０を案内するためのガイドレール２２が形成されている。
【００２０】
図５に示されるように、長手方向に延在するガイドレール２２には、スライド凸部２０の後端部２０ｂが摺接する断面コ字状の第１のガイド面２３（図３参照）と、スライド凸部２０の前端部２０ａ及び後端部２０ｂが摺接する第２のガイド面２４（図４参照）と、からなる。第１のガイド面２３は、上面２３ａと側面２３ｂと底面２３ｃとからなり、第２のガイド面２４は、上面２４ａと側面２４ｂとからなる。そして、第１のガイド面２３の側面２３ｂと第２のガイド面２４の側面２４ｂは同一平面上で連続し（図６参照）、第１のガイド面２３の上面２３ａと第２のガイド面２４の上面２４ａも同一平面上で連続している（図５参照）。
【００２１】
この多芯筆記具１では、ノック部材６の前端側において、ガイドレール２２のガイド面２４とノック部材６との間のクリアランスを、スライド凸部２０の前端部２０ａの採用によって小さくすることができる。これによって、筆記状態解除時にノックされるノック部材６の前端側が仕切壁１０の厚み方向に大きく傾いてしまうことがなく、その結果、ノック途中におけるノック部材６の解除突起６Ａの逃げが起こり難くなる。よって、筆記状態を解除する際において、ノックする一方のノック部材６の解除突起６Ａの前端（すなわち前側解除突起６ｃの前端）が、筆記状態の他方のノック部材６の解除突起６Ａの後端（すなわち後側解除突起６ｄの後端）を適切且つ確実に押圧することができる。従って、ノック部材６の筆記状態を安定的に且つ確実に解除することができる。
【００２２】
ここで、前端部２０ａと後端部２０ｂとに分かれているスライド凸部２０を有するノック部材（図８参照）と、前端部２０ａと後端部２０ｂとが一直線につながっているスライド凸部３０をもった比較例としてのノック部材Ａ（図７参照）とを比べると、ノック部材６は、スライド凸部２０の摺動時の接触面積を減らすことができ、仕切壁１０やノック部材６の多少の変形に対してもスライド凸部２０の摺動に影響を与え難いといった効果をも奏する。仕切壁１０は、ノック部材６の本数を増やしたり、軸筒４の中軸４ｃの採用により、厚みが薄くなっていくので、スライド凸部２０において前端部２０ａの採用は、最適である。
【００２３】
また、図５に示されるように、スライド凸部２０の前端部２０ａは、ノック部材６が所定量前進した後にガイドレール２２（図６参照）の前端から外れる。すなわち、筆記状態にするために、ノック部材６をノックすると、スライド凸部２０の前端部２０ａがガイドレール２２から外れることで、スライド凸部２０の摺動抵抗を減らすことができ、ノック部材６をスピーディーに移動させることができる。たとえ前端部２０ａが多少反るように変形したとしても、その影響を少なくすることができる。
【００２４】
例えば、スライド凸部２０が前端部２０ａと後端部２０ｂとに分かれているノック部材６（図８参照）と、前端部２０ａと後端部２０ｂとが一直線につながっているスライド凸部３０をもった比較例としてのノック部材Ａ（図７参照）とが、同程度反った場合について比較する。ノック部材Ａのスライド凸部３０の高さ方向の反り量をＲ１に対して、ノック部材６のスライド凸部２０の高さ方向の反り量Ｒ２が、小さくなるのが分かる。すなわち、前端部２０ａと後端部２０ｂとの間が離間することで、ノック部材６のスライド凸部２０の高さ方向の反り量Ｒ２は、ノック部材Ａの反り量Ｒ１より寸法Ｂだけ小さくすることができる。
【００２５】
このことから分かるように、例えノック部材６が素材や肉厚の影響で反りやすくなっている場合、反りの影響は、前端部２０ａと後端部２０ｂとが一直線につながっている比較例としてのノック部材Ａ（図７参照）に比べて、前端部２０ａと後端部２０ｂとに分かれているノック部材６（図８参照）の方が小さいので、ガイドレール２２に沿って移動することが余儀なくされるスライド凸部２０の作動不良を無くすことができる。
【００２６】
本発明は、前述した実施形態に限定されず、本発明の要旨を逸脱しない範囲で、下記のような種々の変形が可能である。
【００２７】
例えば、ノック部材７にも、ノック部材６と同様のスライド凸部２０を採用し、これに伴って、軸筒側に、ノック部材７用のガイドレールを採用してもよい。
【符号の説明】
【００２８】
１…多芯筆記具  ２…リフィール  ４…軸筒  ４ａ…前軸  ４ｂ…後軸  ４ｃ…中軸  ６…ノック部材  ６Ａ…解除突起  ６ｃ…前側解除突起  ６ｄ…後側解除突起  １０…仕切壁  ２０，３０…スライド凸部  ２０ａ…前端部  ２０ｂ…後端部  ２２…ガイドレール  ２３，２４…ガイド面  Ｌ…中心軸線
【図１】
2015058689.tif 000003
【図２】
2015058689.tif 000004
【図３】
2015058689.tif 000005
【図４】
2015058689.tif 000006
【図５】
2015058689.tif 000007
【図６】
2015058689.tif 000008
【図７】
2015058689.tif 000009
【図８】
2015058689.tif 000010